(57)【特許請求の範囲】
【請求項１】
水槽内に付着した付着物を除去する水槽用清掃具において、矩形状のカード体を、少なくともその一辺が露出した状態で、脱着自在保持する保持手段を備えたことを特徴とする水槽用清掃具。
【請求項２】
前記保持手段は、前記カード体が位置決めされる位置決部材と、該位置決部材に脱着自在に取り付けられるとともに、前記カード体を前記位置決部材に固定する固定用部材とからなることを特徴とした請求項１記載の水槽用清掃具。
【請求項３】
前記保持手段は、前記カード体を平板状に保持することを特徴とした請求項１または２のいずれかに記載の水槽用清掃具。
【請求項４】
前記保持手段は、前記カード体を、その可撓性により中央部が外方に湾曲した状態にして保持することを特徴とした請求項１または２のいずれかに記載の水槽用清掃具。
【発明の詳細な説明】
【０００１】
【発明の属する技術分野】
本発明は、水槽内に付着した苔や藻などの付着物を除去する水槽用清掃具に関する。
【０００２】
【従来の技術】
従来、水槽の壁面に付着した苔などの付着物を除去する水槽用清掃具においては、磁石を利用したものが広く知られている。
【０００３】
すなわち、この水槽用清掃具は、前記水槽の壁面を隔てた外側にセットされるとともに、磁石を備えた磁着部材と、前記壁面を隔てた内側にセットされるとともに、前記壁面を介して前記磁着部材に磁着される被磁着部材とからなり、前記磁着部材を壁面に沿って移動することにより、前記被磁着部材を壁面内側にて摺接させ、前記付着物を除去できるように構成されている。
【０００４】
【発明が解決しようとする課題】
しかしながら、前記水槽用清掃具にあっては、前記被磁着部材と前記壁面との間に、砂利等が挟まることがあり、前記被磁着部材と壁面との間に隙間が形成されることがある。この場合において、前記付着物の除去に、むらが生じることがあった。
【０００５】
本発明は、このような従来の課題に鑑みてなされたものであり、水槽内の付着物を、むらなく除去することができる水槽用清掃具を提供することを目的とする。
【０００６】
【課題を解決するための手段】
前記課題を解決するために本発明にあっては、水槽内に付着した付着物を除去する水槽用清掃具において、矩形状のカード体を、少なくともその一辺が露出した状態で、脱着自在保持する保持手段を備えている。
【０００７】
すなわち、水槽用清掃具には、保持手段により、カード体の一辺が露出した状態で保持されおり、水槽内に付着した付着物を除去する際には、水槽用清掃具より露出したカード体の一辺により、前記付着物は、かき落とされる。そして、前記カード体が劣化した際には、他のカード体に交換される。
【０００８】
好ましくは、前記保持手段を、前記カード体が位置決めされる位置決部材と、該位置決部材に脱着自在に取り付けられるとともに、前記カード体を前記位置決部材に固定する固定用部材とにより構成する。
【０００９】
すなわち、水槽用清掃具に固定されたカード体を交換する際には、位置決部材より固定用部材が取り外され、前記カード体の位置決部材への固定状態が解除される。そして、このカード体は、他のカード体に交換された後、前記位置決部材に固定用部材が取り付けられ、固定される。
【００１０】
また、前記保持手段は、前記カード体を平板状に保持する。
【００１１】
つまり、前記カード体は、前記清掃具本体に平板状に保持され、水槽用清掃具からは、平板状のカード体の一辺が露出されている。このため、水槽用清掃具より露出した前記カード体の露出部は、水槽の内壁面に当接された際に、その全縁が前記内壁面に密着されるとともに移動され、内壁面に付着した付着物は、かき落とされる。
【００１２】
あるいは、前記保持手段は、前記カード体を、その可撓性により中央部が外方に湾曲した状態にして保持する。
【００１３】
すなわち、前記カード体は、その中央部が外方に湾曲した状態で、水槽用清掃具に保持されており、水槽用清掃具からは、前記カード体の両側縁が湾曲した状態で露出されている。このため、前記側縁を水槽の角部に押圧することにより、カード体は、その可撓性により前記角部に合わせて変形される。この状態で、前記水槽用清掃具を、前記角部に沿って移動することにより、前記角部に付着した付着物は、かき落とされる。
【００１４】
【発明の実施の形態】
（第１の実施の形態）
以下、本発明の第１の実施の形態を図にしたがって説明する。図１は、本実施の形態にかかる水槽用清掃具１の断面を示す図であり、この水槽用清掃具１は、水槽の壁面に付着した苔や藻などの付着物を、例えば、公衆電話用、ＪＲ各社用の使用済みのプリペイドカード２（カード体）を利用して、除去するものである。
【００１５】
この水槽用清掃具１は、保持手段を形成する合成樹脂製の清掃具本体３からなり、該清掃具本体３は、薄肉の長方形状に形成された前記プリペイドカード２を平板状に保持する固定用部材であるヘッド４と、該ヘッド４に脱着自在に取り付けられる位置決部材としてのアタッチメント５とにより構成されている。
【００１６】
該アタッチメント５は、板状に形成されており、図２にも示すように、前記プリペイドカード２の横置きにした状態で保持可能な幅寸法を有している。このアタッチメント５の先端部における両側縁には、図３にも示すように、上方に起立した第１の起立壁６，６が形成されており、第１の起立壁６には、内側に突出した第１の係合突出部７が上縁に沿って形成されている。また、前記アタッチメント５の幅寸法は、両起立壁６，６が形成された部位より後方に向かうに従って狭くなるように設定されており、両縁が達する後縁には、上方に起立するとともに、上縁に第２の係合突出部８が形成された第２の起立壁９が設けられている。
【００１７】
前記アタッチメント５の先端部には、上面側に膨出した第１の膨出部１１が幅方向に延在しており、該第１の膨出部１１には、後方に向かって延出する一対の第２の膨出部１２，１２が、連続的に形成されている。両第２の膨出部１２，１２には、さらに膨出してなる第３の膨出部１３が形成されており、これにより、前記第２の膨出部１２には、セットされる前記プリペイドカード２の一方の長辺１５に当接するとともに、該プリペイドカード２の他方の長辺１６をアタッチメント５より突出させた状態で、位置決めする第１の段差部１７，１７が形成されている。そして、前記アタッチメント５には、前記第１の起立壁６，６の基端部にて、該第１の起立壁６，６に沿って開設された溝部１８，１８と、前記第３の膨出部間１３，１３に開設された開口部１９とが形成されており、前記溝部１８，１８と前記開口部１９とによって、水抜きが行えるように構成されている。
【００１８】
一方、前記ヘッド４は、図１に示したように、ヘッド本体２１と、該ヘッド本体２１の後部より後方へ向けて傾斜するとともに、柄２２が取り付けられる筒部２３とにより一体形成されており、該筒部２３には、前記柄２２に設けられた係合部２４が係合する係合穴２５が形成されている。前記筒部２３の基端には、後方に突出した第１の凸部２６が形成されており、該第１の凸部２６より上方の部位には、第２の凸部２７が、前記アタッチメント５の第２の起立壁９に設けられた第２の係合部８が係合可能な間隔をおいて形成されている。
【００１９】
前記ヘッド本体２１は、図４にも示すように、前記アタッチメント５と同形状に形成されており、下面には、側縁から後縁に亙って下方に突出するフランジ２８が形成されている。前記ヘッド本体２１の先端部に形成された前記フランジ２８には、厚肉部２９，２９が形成されており、セットされるプリペイドカード２の横方向への移動を規制するように構成されている。この肉厚部２９，２９には、図５にも示すように、側方に突出した突出条３０，３０が形成されており、前記アタッチメント５が取り付けられた際に、両突出条３０，３０が、アタッチメント５の第１の起立壁６，６に設けられた第１の係合部７，７に係止されるとともに、図１に示したように、アタッチメント５の後縁に設けられた第２の起立壁９の第２の係合部８が、前記筒部２３に設けられた前記両凸部２６，２７間に係止され、前記アタッチメント５が前記ヘッド４に脱着自在に取り付けられるように構成されている。
【００２０】
また、前記ヘッド本体２１の側縁における斜辺には、図４に示したように、側方より内方へ向けて水抜き用の切欠部３１，３１が形成されている。該切欠部３１における前縁及び側縁には、第１の突出部３２，３２が、Ｌ字状に突設されており、前記切欠部３１，３１の後縁には、前記第１の突出部３２より肉厚の第２の突出部３３，３３が形成されている。これにより、第２の突出部３３，３３が、前記アタッチメント５と共に挾持される前記プリペイドカード２の前記一方の長辺１５に当接することによって、該プリペイドカード２の前記他方の長辺１６がヘッド４から突出した状態で位置決めされるように構成されている。
【００２１】
以上の構成からなる水槽用清掃具１に、プリペイドカード２をセットする際には、図２に示したように、アタッチメント５の上面にプリペイドカード２を載置するとともに、該プリペイドカード２の一方の長辺１５をアタッチメント５の第２の膨出部１２に形成された段差部１７に当接させ、プリペイドカード２の他方の長辺が１６がアタッチメント５の先端より露出するように位置決めする。そして、このアタッチメント５を、前記ヘッド４のヘッド本体２１下面に面接させた状態で、先端方向へスライドさせる。すると、前記ヘッド４の両側縁に設けられれた突出条３０，３０が、アタッチメント５の第１の起立壁６，６に設けられた第１の係合部７，７に係止されるとともに、アタッチメント５の後縁に設けられた第２の起立壁９の第２の係合部８が、ヘッド４の後部に設けられた第１及び第２の凸部２６，２７の間に係止され、前記アタッチメント５が前記ヘッド４に取り付けられる。このとき、ヘッド４とアタッチメント５に挾持された前記プリペイドカード２は、アタッチメント５に設けられた第１及び第２の膨出部１１，１２，１２によってヘッド４に押圧され、固定される。
【００２２】
この水槽用清掃具１にて、水槽の内壁面に付着した苔や藻を取り除く際には、水槽用清掃具１より突出したプリペイドカード２の他方の長辺１６を、前記内壁面に傾斜させた状態で押圧するとともに、水槽用清掃具１より斜めに延出する柄２２を操作して、前記内壁面に摺接させる。すると、該内壁面に付着した苔や藻は、前記プリペイドカード２の他方の長辺１６により、その幅寸法をもって、むら無く、かき落とされる。このようにして、水槽壁面の清掃を行うことができるので、水槽の壁面外側にセットされた磁着部材を移動して、壁面内側にセットされた被磁着部材を間接的に移動させ、苔や藻を除去する従来と比較して、清掃作業が容易となる。また、従来のように、前記被磁着部材と壁面との間に砂利などが挟まり、これにより被磁着部材と壁面との間に隙間が形成され、苔や藻の除去むらが生じることもない。さらに、前記従来においては、被磁着部材と壁面との間に砂利などが挟まった場合には、この砂利が水槽壁面に押し付けられ、該壁面を傷つけることがあった。しかしながら、本実施の形態にあっては、プリペイドカード２の縁によって苔や藻をかき落とすため、砂利等を水槽壁面に摺接することはなく、壁面を傷つけることも無い。
【００２３】
一方、前記プリペイドカード２の前記他方の長辺１６が劣化した際には、前記アタッチメント５を前記ヘッド４より取り外し、他の使用済みのプリペイドカードと交換、あるいは、前記プリペイドカード２の一方の長辺１５が露出するように反転させることができる。このため、使用済みのプリペイドカードを有効利用することができるとともに、苔や藻をかき落とす部材が専用のゴム部材からなり、交換時には、このゴム部材を購入しなければならない場合と比較して、性能維持コストが不要となる。また、前記ヘッド４と前記アタッチメント５とに保持されるプリペイドカード２は、プラスチックにより薄肉状に形成されており、適度な弾性と剛性とを有しているので、水槽の清掃に適した水槽用清掃具１となり得る。
【００２４】
（第２の実施の形態）
以下、本発明の第２の実施の形態を図にしたがって説明する。図６は、本実施の形態にかかる水槽用清掃具５１の断面を示す図であり、該水槽用清掃具５１は、第１の実施の形態と同様に、水槽の壁面に付着した苔や藻などの付着物を、公衆電話用やＪＲ各社用などの使用済みのプリペイドカード５２を利用して、除去するものである。
【００２５】
この水槽用清掃具５１は、保持手段を形成する合成樹脂製の清掃具本体５３からなり、該清掃具本体５３は、薄肉の長方形状に形成された前記プリペイドカード５２を、その中央部が外側に湾曲した状態で保持する位置決部材としてのアタッチメント５４と、該アタッチメント５４が脱着自在に取り付けられる固定用部材であるヘッド５５とにより構成されている。
【００２６】
前記アタッチメント５４は、図７及び図８にも示すように、対向した上面６１及び下面６２と、上下面６１，６２を連設する側面６３，６３と、各面６１，６２，６３，６３を先端にて連設する端面６４とにより、断面ロ字状に形成されており、基端には、前記ヘッド５５が挿入される挿入口６５が設けられている。前記下面６２と前記端面６４との角部には、水抜き穴６６が開設されており（図６参照）、前記挿入口６５より、前記ヘッド５５が挿入された際の空気、及び水の抜穴を形成している。前記上面６１には、長方形状の開口部６７が設けられており、両側縁部には、テーパー状に凹設されたテーパー凹部６８，６８が、側縁に沿って形成されている。両テーパー凹部６８，６８の中央には、前記プリペイドカード５２の短辺を挿入可能な長さ寸法を有したスリット６９，６９が開設されており、前記下面６２には、図８に示すように、前記両スリット６９，６９より中心側にずれた部位に、アタッチメント５４の内側へ向けて突出した２本の凸条部７０，７０が形成されている。
【００２７】
一方、前記ヘッド５５は、図６に示したように、前記アタッチメント５４に僅かな隙間を有して内嵌される下面開口状のヘッド本体７１と、該ヘッド本体７１の後部に連設された下面開口状の連接部７２と、該連接部７２に連設されるとともに、柄７３が取り付けられる筒部７４とにより一体形成されており、該筒部７４には、前記柄７３に設けられた係合部７５が係合する係合穴７６が開設されている。前記連接部７２は、図９に示すように、前記ヘッド本体７１側の端部が、ヘッド本体７１より大径に形成されており、ヘッド本体７１に嵌合される前記アタッチメント５４のストッパーを形成している。
【００２８】
前記ヘッド本体７１の上面中央には、コ字状スリット８１が設けられており、該コ字状スリット８１に包囲された舌片８２の先端部には、上面側に膨出した膨出部８３が形成されている。また、前記ヘッド本体７１の上面には、前記連接部７２より先端側へ向けて延出した延出部８４，８４が突設されており、前記アタッチメント５４に内嵌され状態で、この延出部８４，８４がアタッチメント５４の上面に当接して、がたつきを防止できるように構成されている。そして、前記ヘッド本体７１の先端を形成する端壁面８５には、図１０に示すように、前記アタッチメント５４の下面６２に形成された凸条部７０，７０に外嵌する外嵌凹部８６，８６が、ヘッド本体７１の側壁に沿って設けられており、図１１に示すように、前記凸条部７０，７０に外嵌凹部８６，８６が外嵌した状態で、前記ヘッド本体７１が前記アタッチメント５４の中央に案内されるように構成されている。なお、前記アタッチメント５４に設けられた両スリット６９，６９は、間隔Ｓを隔てて設けられており、この間隔Ｓは、前記ヘッド本体７１の幅寸法Ｈより、やや短くなるように設定されている。
【００２９】
以上の構成からなる水槽用清掃具５１に、プリペイドカード５２をセットする際には、先ず、使用済みのプリペイドカード５２の両短辺を、アタッチメント５４の上面に設けられたテーパー凹部６８，６８のスリット６９，６９に差し込み、前記プリペイドカード５２を、前記両短辺間の中央部が外方に湾曲した状態で、つまり、両長辺がアタッチメント５４より露出した状態で位置決めする。このとき、スリット６９は、テーパー状に凹設されたテーパー凹部６８の中央に形成されており、前記プリペイドカード５２の短辺を、このテーパー凹部６８に沿って滑らせ、前記スリット６９に差し込むことができるので、前記短辺の差し込みが容易となる。
【００３０】
そして、前記プリペイドカード５２を湾曲させた状態で保持するアタッチメント５４に、ヘッド５５のヘッド本体７１を差し入れるとともに、図１１に示したように、ヘッド本体７１に設けられた膨出部８３が、アタッチメント５４に開設された開口部６７に係止されるまで挿入する。すると、前記ヘッド本体７１の幅寸法Ｈより狭い間隔Ｓをおいて形成された前記両スリット６９，６９に差し込まれた前記プリペイドカード５２の両短辺は、前記ヘッド本体７１により、側方へ屈曲された状態で、アタッチメント５４の側面６３，６３に押圧され、抜けが防止されつつ固定される。
【００３１】
この水槽用清掃具５１にて、水槽の角部に付着した苔や藻を取り除く際には、水槽用清掃具５１より突出したプリペイドカード５２の長辺を、前記角部に傾斜させた状態で押圧するとともに、水槽用清掃具５１より延出する柄７３を操作して、前記角部に摺接させる。このとき、前記プリペイドカード５２は薄板状に形成されており、前記角部に合わせて変形させることができるので、前記長辺を角部に密着させることができる。これにより、前記角部に付着した苔や藻を、前記プリペイドカード５２の長辺により、むら無く、かき落とすことができる。したがって、水槽の壁面外側にセットされた磁着部材を移動して、壁面内側にセットされた被磁着部材により、苔や藻を除去する従来の水槽用清掃具では不可能であった、水槽の角部における苔や藻の除去を行うことができる。
【００３２】
一方、前記プリペイドカード５２の前記長辺が劣化した際には、前記アタッチメント５４を前記ヘッド５５より取り外して、他の使用済みのプリペイドカードと交換することができる。このように、本実施の形態にかかる水槽用清掃具５１にあっては、使用済みのプリペイドカードを有効利用することができるとともに、苔や藻をかき落とす部材が専用部材からなり、交換時には、専用部材を購入しなければならない場合と比較して、性能維持コストが不要となる。また、前記ヘッド５５と前記アタッチメント５４とに保持されるプリペイドカード５２は、プラスチックにより薄肉状に形成されており、適度な弾性と剛性とを有しているので、水槽の清掃に適した水槽用清掃具５１となり得る。
【００３３】
なお、第１及び第２の実施の形態における水槽用清掃具１，５１においては、公衆電話用あるいはＪＲ各社用のプリペイドカード２，５２を利用して、付着物を除去した場合について説明したが、例えば、トランプのカードや、プリペイドカードとしての一形態であるプラスチック製の定期券を利用した場合であっても、前述と同様の効果を得ることができる。
【００３４】
【発明の効果】
以上説明したように本発明の水槽用清掃具においては、水槽用清掃具より露出したカード体の一辺を、水槽内に付着した付着物に押し当てて移動することにより、該付着物を、かき落とすことができるので、水槽の壁面外側にセットされた磁着部材を移動して、壁面内側にセットされた被磁着部材を間接的に移動させ、付着物を除去する従来と比較して、付着物の除去作業が容易となる。また、従来のように、前記被磁着部材と壁面との間に砂利などが挟まって前記被磁着部材と壁面との間に隙間が形成され、前記付着物の除去むらが生じることもない。そして、前記カード体は、水槽用清掃具に脱着自在に保持されていることから、保持されたカード体が劣化した際には、他のカード体に交換することができる。例えば、矩形状に形成されたプリペイドカードを前記カード体をして利用した場合には、使用済みのプリペイドカードを有効利用することができる。この場合、前記付着物をかき落とす部材が専用部材からなり、交換時に、前記専用部材を購入しなければならない場合と比較して、性能維持コストが不要となる。
【００３５】
また、前記カード体を保持する保持手段を、カード体が位置決めされる位置決部材と、該位置決部材に脱着自在に取り付けられ、前記カード体を位置決部材に固定する固定用部材とにより構成した水槽用清掃具においては、位置決部材より固定用部材を取り外すことにより、カード体の位置決部材への固定状態を解除することができる一方、前記位置決部材に固定用部材を取り付けることにより、カード体を位置決部材に固定することができるので、前記カード体の交換作業を容易に行うことができる。
【００３６】
さらに、前記カード体を平板状に保持するものに関しては、カード体の前記一辺を平板状に維持しつつ、水槽用清掃具から露出させることができるので、水槽用清掃具より露出したカード体の露出部を、水槽の内壁面に当接した状態において、前記露出部の全縁を前記内壁面に密着させることができる。このため、内壁面に付着した付着物を、効率的にかき落とすことができる。
【００３７】
また、前記カード体を、その中央部が外方に湾曲した状態で保持し、前記カード体の両側縁を、湾曲した状態で露出させる水槽用清掃具にあっては、湾曲した側縁を水槽の角部に押圧することにより、該角部に合わせてカード体を変形させることができるので、前記側縁を前記角部に密着させることができる。そして、この状態で、前記水槽用清掃具を、前記角部に沿って移動することにより、前記角部に付着した付着物を、むら無くかき落とすことができる。したがって、水槽の壁面外側にセットされた磁着部材を移動して、壁面内側にセットされた被磁着部材により、付着物を除去する従来の水槽用清掃具では不可能であった、水槽の角部における付着物の除去を行うことができる。
【００３８】
【図面の簡単な説明】
【図１】本発明の第１の実施の形体を示す断面図である。
【図２】同実施の形態におけるアタッチメントを示す平面図である。
【図３】図２のＡ矢視図である。
【図４】同実施の形態におけるヘッドを示す底面図である。
【図５】図１のＢ−Ｂ断面図である。
【図６】本発明の第２の実施の形体を示す断面図である。
【図７】同実施の形態におけるアタッチメントを示す平面図である。
【図８】図７のＣ−Ｃ断面図である。
【図９】同実施の形態におけるヘッドを示す平面図である。
【図１０】同実施の形態におけるヘッドを示す底面図である。
【図１１】図６のＤ−Ｄ断面図である。
【符号の説明】
１    水槽用清掃具
２    プリペイドカード（カード体）
３    清掃具本体（保持手段）
４    ヘッド（固定用部材）
５    アタッチメント（位置決部材）
１６    他方の長辺
５１    水槽用清掃具
５２    プリペイドカード（カード体）
５３    清掃具本体（保持手段）
５４    アタッチメント（位置決部材）
５５    ヘッド（固定用部材）
【図１】
0003642886.tif 000002
【図２】
0003642886.tif 000003
【図３】
0003642886.tif 000004
【図４】
0003642886.tif 000005
【図５】
0003642886.tif 000006
【図６】
0003642886.tif 000007
【図７】
0003642886.tif 000008
【図８】
0003642886.tif 000009
【図９】
0003642886.tif 000010
【図１０】
0003642886.tif 000011
【図１１】
0003642886.tif 000012